(57)【要約】      （修正有）【課題】多面表示装置の製作に使われる表示装置を提供する。【解決手段】基板は三角形状であり、表示パネル110に配置された複数のピクセルが三角形状の基板に三角形状に配置し、基板上に複数のデータライン及び複数のゲートラインが配置され、複数のピクセル（Pixel）がマトリックスタイプで配置される表示パネル110と表示パネル110を駆動するデータ駆動部120、ゲート駆動部120を含む。【選択図】図１
2018072793.tif 000002
【特許請求の範囲】
【請求項１】
三角形状の基板上に複数のデータライン及び複数のゲートラインが配置され、複数のピクセル（Pixel）がマトリックスタイプで配置され、前記複数のピクセルが前記三角形状の基板に三角形状に配置される表示パネルと、
複数のデータラインにデータ電圧を供給することによって、複数のデータラインを駆動するデータ駆動部と、
複数のゲートラインにゲート信号を順次に供給することによって、複数のゲートラインを順次に駆動するゲート駆動部とを含む、表示装置。
【請求項２】
前記複数のデータラインは前記三角形状の基板の第１辺から第１方向に配置され、前記基板の第１辺の一端から他端に前記複数のデータラインの長さが各々長くなってから短くなり、
前記複数のゲートラインは前記三角形状の基板の第２辺または第３辺の間に第２方向に配置され、前記基板の第２辺の一端から他端に前記ゲートラインの長さが順次に短くなり、
前記複数のピクセルが前記三角形状の基板に三角形状に配置される、請求項１に記載の表示装置。
【請求項３】
前記ゲート駆動部は複数のゲートインパネル（Gate In Panel）を含み、
前記複数のゲートインパネルは、前記基板の第２辺または第３辺のうちの１つに前記基板の第２辺または第３辺のうちの１つと並んで配置される、請求項１に記載の表示装置。
【請求項４】
前記複数のゲートインパネルの高さがａであり、前記基板が正三角形の場合、前記複数のゲートインパネルの各々は前記基板の第２辺または第３辺の一端から他端にａ／ｂ（ａ、ｂは０より大きい実数）のピッチで前記基板の第２辺または第３辺の内側方向に斜線で配置される、請求項３に記載の表示装置。
【請求項５】
前記複数のピクセルのうち、前記基板の第２辺に隣接して最外郭に位置する２以上のピクセルは、前記基板の第２辺の内側方向に斜線で配置され、
前記複数のピクセルのうち、前記基板の第３辺に隣接して最外郭に位置する２以上のピクセルは前記基板の第３辺の内側方向に斜線で配置され、
前記基板の第２辺と前記第３辺の最外郭に位置するピクセルの各々の一部を斜線で遮るブラックマトリックスをさらに含む、請求項１に記載の表示装置。
【請求項６】
前記ブラックマトリックスの斜線の角度は前記基板の第１辺を基準に６３．４度以下である、請求項５に記載の表示装置。
【請求項７】
前記ブラックマトリックスの斜線は前記基板の第２辺と前記第３辺の最外郭に位置する１つまたは２つ以上のピクセルの角の頂点がなす方向と並んでいる、請求項５に記載の表示装置。
【請求項８】
前記ブラックマトリックスの斜線は前記基板の第２辺と前記第３辺の最外郭に位置する１つまたは２つ以上のピクセルの角の頂点を過ぎる、請求項７に記載の表示装置。
【請求項９】
前記基板が正三角形の場合、前記基板の第２辺と前記第３辺の最外郭に位置するピクセルの各々の第２方向の長さ：第１方向の長さの割合は１：/ｎ（ｎは、前記ブラックマトリックスの斜線が前記最外郭に位置するピクセルの角の頂点を過ぎる最小ピクセルの個数）である、請求項８に記載の表示装置。
【請求項１０】
前記複数のピクセルのうち、前記基板の第２辺に隣接して最外郭に位置する２以上のピクセルは前記基板の第２辺の内側方向に斜線で配置され、
前記複数のピクセルのうち、前記基板の第３辺に隣接して最外郭に位置する２以上のピクセルは前記基板の第３辺の内側方向に斜線で配置され、
前記基板の第２辺と前記第３辺の外郭に位置するピクセルの輝度は中心部に位置するピクセルの輝度より相対的に低い、請求項１に記載の表示装置。
【請求項１１】
前記基板の第２辺と前記第３辺の外郭に位置するピクセルの輝度は最外郭に位置するピクセルに行くほど輝度が徐々に減少する、請求項１０に記載の表示装置。
【請求項１２】
前記複数のピクセルの各々の形状が三角形状であり、前記第２方向に隣接した２つのピクセルは平行四辺形の形状になるように隣接した、請求項２に記載の表示装置。
【請求項１３】
前記複数のピクセルの各々の三角形状は前記基板の三角形状と相似形である、請求項１２に記載の表示装置。
【請求項１４】
前記複数のピクセルは前記第２方向の３個のピクセルと隣接した第１方向の１つのピクセルが三角形状に反復配置される、請求項１２に記載の表示装置。
【請求項１５】
前記三角形状に反復配置される４個のピクセルは、レッド、ブルー、グリーン、ホワイトピクセルである、請求項１４に記載の表示装置。
【請求項１６】
前記第２方向に隣接した２つのピクセルが液晶セルの場合、隣接した２つの液晶セルは配向膜の方向が互いに異なる、請求項１２に記載の表示装置。
【請求項１７】
前記表示パネルは前記基板の第１辺方向の非表示領域に配置される複数のデータパッドを含むデータパッド部及び前記データパッド部と前記データラインを連結する複数のデータリンクラインを含むデータリンクライン部をさらに含み、
前記データリンクライン部に含まれる前記複数のデータリンクラインの長さは前記基板の第１辺の一端から他端に短くなってから長い、請求項２に記載の表示装置。
【請求項１８】
２以上の単位表示装置が連結部材を通じて互いに組み立てられた３面以上の多面表示装置であって、
各単位表示装置は、
三角形状の基板上に複数のデータライン及び複数のゲートラインが配置され、複数のピクセル（Pixel）がマトリックスタイプで配置され、前記複数のピクセルが前記三角形状の基板に三角形状に配置される表示パネルと、
複数のデータラインにデータ電圧を供給することによって、複数のデータラインを駆動するデータ駆動部と、
複数のゲートラインにゲート信号を順次に供給することによって、複数のゲートラインを順次に駆動するゲート駆動部とを含む、多面表示装置。
【請求項１９】
前記多面表示装置は多面体、球形状、または半句形状のうちの１つである、請求項１８に記載の多面表示装置。
【発明の詳細な説明】
【技術分野】
【０００１】
本実施形態は映像を表示する表示装置及び表示装置の組み合わせを通じて多面体を具現した多面表示装置に関する。
【背景技術】
【０００２】
情報化社会が発展するにつれて、画像を表示するための表示装置に対する要求が多様な形態に増加しており、近来には液晶表示装置（ＬＣＤ：Liquid Crystal Display）、プラズマ表示装置（ＰＤＰ：Plasma Display Panel）、有機電界発光表示装置（ＯＬＥＤ：Organic Light Emitting Diode Display Device）のような種々の表示装置が活用されている。
【０００３】
一般に、表示装置は表示パネルが矩形の形状を有している。一般的な表示装置を組み合わせて大型画面に連続して映像を表示することができるが、多面体を具現して立体的に連続して映像を表示することに限界がある。
【発明の概要】
【発明が解決しようとする課題】
【０００４】
本実施形態の目的は、多面表示装置の製作に使われる表示装置を提供することにある。
【０００５】
本実施形態の他の目的は、立体的に連続して１つの映像を表示する多面表示装置を提供することにある。
【課題を解決するための手段】
【０００６】
一の態様における、本実施形態は、基板上に複数のデータライン及び複数のゲートラインが配置され、複数のピクセル（Pixel）がマトリックスタイプで配置される表示パネルと表示パネルを駆動するデータ駆動部、ゲート駆動部を含む表示装置を提供する。
【０００７】
この際、基板は三角形状であり、表示パネルに配置された複数のピクセルが三角形状の基板に三角形状に配置することができる。データ駆動部は複数のデータラインにデータ電圧を供給することによって、複数のデータラインを駆動することができる。ゲート駆動部は、複数のゲートラインにゲート信号を順次に供給することによって、複数のゲートラインを順次に駆動することができる。
【０００８】
他の態様における、本実施形態は、２以上の単位表示装置が連結部材を通じて互いに組み立てられた三面以上の多面表示装置を提供する。各単位表示装置で前述したように基板は三角形状であり、表示パネルに配置された複数のピクセルが三角形状の基板に三角形状に配置することができる。
【発明の効果】
【０００９】
本実施形態によれば、表示装置は多面表示装置を製作することに使用できる効果がある。
【００１０】
また、本実施形態によれば、多面表示装置は立体的に連続して１つの映像を表示することができる。
【図面の簡単な説明】
【００１１】
【図１】一実施形態に係る表示装置の平面図である。
【図２】図１の表示装置が複数組み立てられた多面表示装置の組み立てられる前の繰広げた状態の平面図である。
【図３ａ】多面体に組み立てられた図２の多面表示装置の立体図である。
【図３ｂ】多面体に組み立てられた図２の多面表示装置の立体図である。
【図４】他の実施形態に係る表示装置の平面図である。
【図５ａ】基板の非表示領域に位置するゲート駆動部及び各種の配線の配置を示す図４の一部分（Ｘ）の詳細図である。
【図５ｂ】図５ａのＧＩＰとピクセルの配置を詳細に示す図である。
【図６ａ】図４の表示装置が液晶表示装置の場合の一例で、液晶表示装置に含まれるブラックマトリックスの配置を示す平面図である。
【図６ｂ】図４の表示装置が液晶表示装置の場合の一例で、液晶表示装置に含まれるブラックマトリックスの配置を示す平面図である。
【図６ｃ】図４の表示装置が液晶表示装置の場合の一例で、液晶表示装置に含まれるブラックマトリックスの配置を示す平面図である。
【図７ａ】図４の表示装置が液晶表示装置の場合の他の例で、液晶表示装置に含まれるブラックマトリックスの配置を示す平面図である。
【図７ｂ】図４の表示装置が液晶表示装置の場合の他の例で、液晶表示装置に含まれるブラックマトリックスの配置を示す平面図である。
【図８】表示領域（Ａ／Ａ）と非表示領域（Ｎ／Ａ）との境界領域に位置する斜線部のピクセルの映像処理を示す図である。
【図９】中心部と斜線部のピクセルの相対的な輝度を示す図である。
【図１０】更に他の実施形態に係る表示装置の平面図である。
【図１１】更に他の実施形態に係る表示装置の平面図である。
【図１２】図１０の表示装置が液晶表示装置の場合、液晶表示装置に含まれる各ピクセルの配向膜と駆動時の液晶の方向を示す図である。
【図１３】更に他の実施形態に係る表示装置の表示パネルの一部分の平面図である。
【図１４】更に他の実施形態に係る表示装置の表示パネルの一部分の平面図である。
【発明を実施するための形態】
【００１２】
以下、本発明の一部の実施形態を例示的な図面を参照して詳細に説明する。各図面の構成要素に参照符号を付加するに当たって、同一な構成要素に対しては、たとえ他の図面上に表示されてもできる限り同一な符号を付与している。また、本発明の一部の実施形態を説明するに当たって、関連した公知構成または機能に対する具体的な説明が本発明の要旨を曖昧にすることがあると判断される場合には、その詳細な説明は省略する。
【００１３】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素はその他の構成要素に直接的に連結または接続できるが、各構成要素の間に他の構成要素が“連結”、“結合”、または“接続”されることもできると理解されるべきである。
【００１４】
図１は、一実施形態に係る表示装置の平面図である。
【００１５】
図１を参照すると、一実施形態に係る表示装置１００は、三角形状の表示パネル１１０と表示パネル１１０を駆動する駆動部１２０、表示パネル１１０と駆動部１２０との間に位置する連結部１３０を含む。表示装置１００は、液晶表示装置（ＬＣＤ：Liquid Crystal Display）、プラズマ表示装置（ＰＤＰ：Plasma Display Panel）、有機電界発光表示装置（ＯＬＥＤ：Organic Light Emitting Diode Display Device）のような現在または将来の種々の表示装置でありうる。
【００１６】
表示パネル１１０は三角形状に独立して映像を表示するか、または他の表示装置と結合して連続した映像を表示することができる。表示パネル１１０は、正三角形または二等辺三角形の三角形状でありうるが、これに制限されるものではない。
【００１７】
この際、表示パネル１１０が三角形状ということは、全体的に三角形状のものを意味する。したがって、表示パネル１１０の３個の辺が数学的に直線でなく、曲面をなしたり３個の辺のうちの全部または一部の末端が折曲させた形状も含む。また、表示パネル１１０の頂点の一部が切欠させたり丸みを帯びた形状とすることもできる。以下、表示パネル１１０が数学的な三角形のものとして説明する。
【００１８】
駆動部１２０は、表示パネル１１０の一面に位置し、連結部１３０を通じて表示パネル１１０を駆動または制御することができる。駆動部１２０は、一般的な表示装置のデータ駆動部、ゲート駆動部、これらを制御する制御部、タッチ駆動部のうちの１つまたはこれらの組み合わせでもよい。以下、駆動部１２０がデータ駆動部とゲート駆動部のものとして説明するが、これに制限されるものではない。
【００１９】
連結部１３０は表示パネル１１０と駆動部１２０との間に位置し、駆動部１２０の駆動信号及び／又は制御信号を表示パネル１１０に伝達してくれる。例えば、連結部１３０は表示パネル１１０と駆動部１２０を例えばテープオートメーテッドボンディング（ＴＡＢ：Tape Automated Bonding）方式により連結することができる。
【００２０】
駆動部１２０は、チップオンガラス（ＣＯＧ）方式により表示パネル１１０のボンディングパッド（Bonding Pad）に連結されるか、または表示パネル１１０に直接配置されることもでき、場合によって、表示パネル１１０に集積化されて配置させることもできる。この場合、表示装置１００は別途の連結部１３０を含まないことがある。
【００２１】
図２は、図１の表示装置が複数の組み立てられた多面表示装置の組み立てられる前の展開された状態の平面図である。
【００２２】
図２を参照すると、他の実施形態に係る多面表示装置２００は図１の表示装置１００を単位表示装置で、２以上の表示装置１００が連結部材（図示せず）を通じて互いに組み立てられている。各表示装置１００は、図１に示すように、表示パネル１１０、駆動部１２０、及び連結部１３０を含む。この際、多面表示装置２００で２つの表示装置１００が隣接して平行四辺形をなし、駆動部１２０が位置する表示装置１００の面が平行四辺形の２つの底辺を構成するようにすることができる。
【００２３】
多面表示装置２００は、図３ａに示すように、２以上の表示装置１００が組み立てられた三面以上の多面体を構成することができる。多面表示装置２００は、例えば２０面体、８０面体、１８０面体、３２０面体などの多面体を構成することができる。表示装置２００は面数が増加して全体的に球形とすることができる。
【００２４】
多面表示装置２００は、図３ｂに示すように、２以上の表示装置１００が組み立てられた三面以上の半球形またはドーム形状の多面体を構成することができる。多面表示装置２００は、例えば40面体、１０５面体、１６０面体などの半球形またはドーム形状の多面体を構成することができる。表示装置２００は面数が増加して全体的に半球形とすることができる。
【００２５】
図１に図示した表示パネル１１０は三角形状であるので、多面体を製作することができる自由度が高く、今後、拡張性を考慮した映像を表示するように制御することができる。多面表示装置２００は多面体を構成する各々の表示装置１００が連係してコンテンツが１つの映像のように表示されることもでき、各々の表示装置１００が独立的に映像を表示することもできる。
【００２６】
以下、単位表示装置１００の具体的な実施形態について図面を参照して詳細に説明する。
【００２７】
図４は、他の実施形態に係る表示装置の平面図である。
【００２８】
図４を参照すると、他の実施形態に係る表示装置４００は、表示パネル４１０、駆動部４２０、及び連結部４３０を含むことができる。
【００２９】
表示パネル４１０は三角形状の基板４１２上に複数のデータラインＤＬ及び複数のゲートラインＧＬが配置され、複数のピクセル（Pixel：Ｐ）がマトリックスタイプで配置され、複数のピクセルＰが三角形状の基板４１２に三角形状に配置することができる。三角形状の基板４１２は、第１辺４１２ａ、第２辺４１２ｂ、及び第３辺４１２ｃからなる３個の面と３個の頂点Ａ、Ｂ、Ｃを含む。表示パネル４１０は、映像を表示する表示領域（Ａ／Ａ）と映像を表示せず、各種の信号ラインや駆動部４２０と関連した構成要素が配置される非表示領域（Ｎ／Ａ）とに分けられる。
【００３０】
本実施形態に係る表示パネル４１０に配置される複数のピクセルＰの各々には、有機発光ダイオード（ＯＬＥＤ：Organic Light Emitting Diode）や液晶セル（Liquid Crystal Cell）のような表示素子と、これを駆動するための駆動トランジスタ（ＤＲＴ：Driving Transistor）及びストレージキャパシタなどの回路素子を基本的に含むことができる。
【００３１】
各ピクセルを構成する回路素子の種類及び個数は、提供機能及び設計方式などによって多様に定めることができる。
【００３２】
駆動部４２０は、複数のデータラインＤＬにデータ電圧を供給することによって複数のデータラインを駆動するデータ駆動部４２２、及び複数のゲートラインにゲート信号を順次に供給することによって複数のゲートラインを順次に駆動するゲート駆動部４２４を含むことができる。
【００３３】
データ駆動部４２２は、データＴＣＰ（Tape Carrier Package）上に実装されてＴＡＢ（Tape Automated Bonding）方式により表示パネル４１０に接続されるか、またはＣＯＧ（Chip On Glass）方式により表示パネル４１０上に実装できる。以下、データ駆動部４２２はＴＣＰに接続されたＰＣＢ（Printed Circuit Board）に形成された信号ラインを通じて外部から入力される制御信号及び駆動電圧の供給を受けると共に、相互接続されるものとして説明する。
【００３４】
ゲート駆動部４２４はテープオートメーテッドボンディング（ＴＡＢ：Tape Automated Bonding）方式またはチップオンガラス（ＣＯＧ）方式により表示パネル４１０のボンディングパッド（Bonding Pad）に連結されるか、またはＧＩＰ（Gate In Panel）タイプで具現されて表示パネル４１０に直接配置されることもでき、場合によって、表示パネル４１０に集積化して配置することもできる。
【００３５】
以下、ゲート駆動部４２４は複数のゲートインパネル（Gate In Panel：ＧＩＰ）タイプで具現されて表示パネル４１０に直接配置されるものとして説明する。ゲート駆動部４２４は、複数のゲートインパネルＧＩＰから表示パネル４１０に配置された複数のゲートラインＧＬを通じて順次にゲート信号を供給することができる。
【００３６】
ゲート駆動部４２４は、複数のゲートラインＧＬを通じて順方向にゲート信号を供給したり逆方向にゲート信号を供給したりすることができる。この際、順方向とは、図２に示すように、第１辺４１２ａと近いゲートラインＧＬから遠いゲートラインＧＬに順次にゲート信号を供給することを意味することができる。逆方向とは、図２に示すように、第１辺４１２ａと遠いゲートラインＧＬから近いゲートラインＧＬに順次にゲート信号を供給することを意味することができる。
【００３７】
したがって、図４に示す表示装置４００を単位表示装置に含む多面表示装置２００において、三角形と逆三角形に配置された２つの表示装置４００が各々逆方向と順方向にゲート信号を順次に供給するので、多面表示装置２００は全体的に同一な方向にゲート信号を順次に供給することができる。多面表示装置２００において、三角形と逆三角形に配置された２つの表示装置４００が同一な方向、即ち同一な逆方向または順方向にゲート信号を順次に供給するので、多面表示装置２００は単位表示装置４００毎に異なる方向にゲート信号を順次に供給することもできる。
【００３８】
複数のデータラインＤＬは三角形状の基板４１２の第１辺４１２ａから第１方向に配置されている。言い換えると、複数のデータラインＤＬは三角形状の基板４１２の第１辺４１２ａから第１方向に基板４１２の第２辺４１２ｂと第３辺４１２ｃに向けて配置されている。この際、複数のデータラインＤＬは基板４１２の第１辺４１２ａの一端Ａから他端Ｂに複数のデータラインＤＬの長さが頂点Cに向かい各々長くなってから、頂点Cを過ぎ他端Bに向かい短くなる。言い換えると、複数のデータラインＤＬは基板４１２の中心部で長さが最も長く、両側の外郭部で長さが最も短く、中心部から両側の外郭部に長さが順次に短くなる。
【００３９】
複数のゲートラインＧＬは三角形状の基板４１２の第２辺４１２ｂ及び第３辺４１２ｃの間に第２方向に配置され、基板４１２の第２辺４１２ｂの一端Ａから他端Ｃに向かいゲートラインＧＬの長さが順次に短くなる。
【００４０】
図４に示すように、第１方向の複数のデータラインＤＬと第２方向の複数のゲートラインＧＬとが交差する領域に各々ピクセルＰが配置される。データ駆動部４２２が配置された基板４１２の第１辺４１２ａに配置され、表示パネル４１０の表示領域（Ａ／Ａ）に配置されるピクセルＰはデータ駆動部４２２と並んで配置される。基板４１２の第２辺４１２ｂの一端Ａから他端Ｃに順次に短くなるゲートラインの長さに比例してデータ駆動部４２２と遠ざかるほど表示領域（Ａ／Ａ）に配置されるピクセルＰの個数は順次に少なくなる。
【００４１】
複数のデータラインＤＬと複数のゲートラインＧＬとが交差して全体的に三角形状のマトリックスを構成し、複数のデータラインＤＬと複数のゲートラインＧＬとが交差する領域に各々ピクセルＰが配置されるので、複数のピクセルＰが三角形状の基板４１２に三角形状に配置することができる。複数のピクセルＰが三角形状の基板４１２に三角形状に配置されるということは、数学的に完全な三角形をなすということでなく、全体的な形状が三角形状をなすということを意味する。
【００４２】
図５ａは、基板の非表示領域に位置するゲート駆動部及び各種の配線の配置を示す図４の一部分（Ｘ）の詳細図である。図５ｂは、図５ａのＧＩＰとピクセルの配置を詳細に示す図である。
【００４３】
図５ａ及び図５ｂを参照すると、ゲート駆動部４２４は表示パネル４１０の非表示領域（Ｎ／Ａ）に配置される複数のゲートインパネルＧＩＰを含むことができる。複数のゲートインパネルＧＩＰは基板４１２の第２辺４１２ｂ及び第３辺４１２ｃのうちの１つと並んで非表示領域（Ｎ／Ａ）に配置することができる。
【００４４】
一方、複数のゲートインパネルＧＩＰが基板４１２の第２辺４１２ｂ及び第３辺４１２ｃの両側に第２辺４１２ｂ及び第３辺４１２ｃと並んで非表示領域（Ｎ／Ａ）に配置されることもできる。言い換えると、各ゲートラインＧＬの両側にゲートインパネルＧＩＰが配置され、両側のゲートインパネルＧＩＰのうちの１つまたは２つともゲートラインＧＬを通じてゲート信号を供給することができる。
【００４５】
複数のゲートインパネルＧＩＰと第２辺４１２ｂとの間にグラウンド配線ＧＮＤとクロック配線ＣＬＫ、ゲート電圧供給ラインＶＧＬが配置され、ゲートインパネルＧＩＰと表示領域（Ａ／Ａ）のピクセルの間に共通配線ＶＣＯＭが配置することができるが、この配線の配置は多様に変形できる。グラウンド配線ＧＮＤ、クロック配線ＣＬＫ、及び共通配線ＶＣＯＭも複数のゲートインパネルＧＩＰと同一に斜線で配置することができる。グラウンド配線ＧＮＤ、クロック配線ＣＬＫ、ゲート電圧供給ラインＶＧＬ、共通配線ＶＣＯＭ、及び複数のゲートインパネルＧＩＰの斜線の配置は、基板４１２の三角形の形態によって決定できる。例えば、基板４１２が正三角形状の場合、グラウンド配線ＧＮＤ、クロック配線ＣＬＫ、ゲート電圧供給ラインＶＧＬ、共通配線ＶＣＯＭ、及び複数のゲートインパネルＧＩＰの斜線も基板４１２の第２辺４１２ｂまたは第３辺４１２ｃと並列させることができる。
【００４６】
複数のゲートインパネルＧＩＰの高さがａであり、基板４１２が正三角形の場合、複数のゲートインパネルＧＩＰの各々は基板４１２の第２辺４１２ｂの一端Ａから他端Ｃにａ／ｂ（ａ、ｂは０より大きい実数）のピッチ（Pitch）で、基板４１２の第２辺４１２ｂの内側方向に斜線で配置することができる。複数のゲートインパネルＧＩＰが基板４１２の第３辺４１２ｃと並んで配置された場合、複数のゲートインパネルＧＩＰの各々は基板４１２の第３辺４１２ｃの一端Ｂから他端Ｃにａ／ｂのピッチで基板４１２の第３辺４１２ｃの内側方向に斜線で配置することができる。この際、ｂは基板４１２の三角形の形態によって決定できる。
【００４７】
例えば、基板４１２が正三角形にグラウンド配線ＧＮＤ、クロック配線ＣＬＫ、共通配線ＶＣＯＭ、及び複数のゲートインパネルＧＩＰが第１辺４１２ａと６０度角度で斜線配置される場合、複数のゲートインパネルＧＩＰの各々は基板４１２の第３辺４１２ｃの一端Ｂから他端Ｃに、例えば
2018072793.tif 000003
のピッチで基板４１２の第３辺４１２ｃの内側方向に斜線で配置することができるが、これに制限されるものではない。
【００４８】
図５ｂに示すように、１つのゲートラインＧＬに各ゲートラインの両側に位置する２つのピクセルＰに同時にゲート信号を供給することもできる。この場合、ゲートインパネルＧＩＰの高さａは各ゲートラインの両側に位置する２つのピクセルの幅と同一であるか、または実質的に同一でありうる。一方、１つのゲートラインに１つのピクセルＰにゲート信号を供給する場合、ゲートインパネルＧＩＰの高さａは１つのピクセルの幅と同一であるか、または実質的に同一である。
【００４９】
１つのゲートラインに各ゲートラインの両側に位置する２つのピクセルＰにゲート信号を供給する時、第２方向に３個のピクセル、即ち２＊３のピクセル（総６個のピクセル）は前述した複数のゲートインパネルＧＩＰの各々のピッチと同一なピッチで基板４１２の内側方向に斜線で配置することができるが、同一でないピッチで基板４１２の内側方向に斜線で配置することもできる。
【００５０】
図６ａ及び図６ｂは図４の表示装置が液晶表示装置の場合の一例で、液晶表示装置に含まれるブラックマトリックスの配置を示す平面図である。図６ａで、表示領域と非表示領域の一部分（Ｙ）のみを詳細に図示し、他の部分を省略した。
【００５１】
図６ａを参照すると、図４を参照して説明した表示装置４００が液晶表示装置の場合、この表示装置４００は基板４１０と対向して配置される他の基板（図示せず）に非表示領域（Ｎ／Ａ）と表示領域（Ａ／Ａ）でデータラインＤＬ、ゲートラインＧＬ、及びピクセルＰを駆動する薄膜トランジスタＴＦＴが配置された駆動領域に配置されるブラックマトリックスＢＭをさらに含むことができる。ブラックマトリックスＢＭは、非表示領域（Ｎ／Ａ）と表示領域（Ａ／Ａ）の駆動領域を遮ることができる。
【００５２】
前述したように、第１方向の複数のデータラインＤＬと第２方向の複数のゲートラインＧＬとが交差する領域に配置される複数のピクセルＰのうち、三角形状の表示領域（Ａ／Ａ）と非表示領域（Ｎ／Ａ）との境界４１４に位置するピクセルＰＩの各々は一部が表示領域（Ａ／Ａ）に位置し、一部は非表示領域（Ｎ／Ａ）に位置することができる。特に、表示領域（Ａ／Ａ）と非表示領域（Ｎ／Ａ）との境界４１４に位置するピクセルＰＩと表示領域（Ａ／Ａ）の内部に位置するピクセルＰが同一なピクセル構造を有する場合に、一部のピクセルＰＩは表示領域（Ａ／Ａ）と非表示領域（Ｎ／Ａ）との境界４１４により分けられるようになる。
【００５３】
図６ａに示すように、、ブラックマトリックスＢＭは境界４１４に位置するピクセルＰＩを全部遮る構造を有することができる。この場合、ブラックマトリックスＢＭは境界４１４を基準に境界４１４により分かれるピクセルＰＩの表示領域（Ａ／Ａ）の形状に沿った外郭となるよう配置することができる。
【００５４】
図６ｂに示すように、表示領域（Ａ／Ａ）と非表示領域（Ｎ／Ａ）との境界４１４でブラックマトリックスＢＭは非表示領域（Ｎ／Ａ）で表示領域（Ａ／Ａ）と非表示領域（Ｎ／Ａ）との境界４１４まで位置することができる。この場合、境界４１４に位置するピクセルＰＩが表示領域（Ａ／Ａ）と非表示領域（Ｎ／Ａ）との境界４１４により分かれても、ブラックマトリックスＢＭは境界４１４に位置するピクセルＰＩに対して非表示領域（Ｎ／Ａ）に位置する部分のみを遮る構造を有することができる。
【００５５】
言い換えると、複数のピクセルＰのうち、基板４１２の第２辺４１２ｂに隣接して最外郭に位置する２以上のピクセルＰＩは、基板４１２の第２辺４１２ｂの内側方向に斜線で配置することができる。また、複数のピクセルＰのうち、基板４１２の第３辺４１２ｃに隣接して最外郭に位置する２以上のピクセルＰＩは、基板４１２の第３辺４１２ｃの内側方向に斜線で配置することができる。
【００５６】
この際、ブラックマトリックスＢＭは基板４１２の第２辺４１２ｂと第３辺４１２ｃの最外郭に位置するピクセルＰＩの各々の一部を斜線で遮ることができる。したがって、表示領域（Ａ／Ａ）と非表示領域（Ｎ／Ａ）とを区分する境界４１４がブラックマトリックスＢＭの斜線と一致するようになる。以下、表示領域（Ａ／Ａ）と非表示領域（Ｎ／Ａ）とを区分する境界４１４とブラックマトリックスＢＭの斜線が一致するものとして説明するが、境界４１４とブラックマトリックスＢＭの斜線は一致しないこともある。
【００５７】
図６ｃに示すように、３個のピクセルＰの第１方向の幅をＰとする時、第２方向に１つのゲートラインに各ゲートラインの両側に位置する２つのピクセルＰの高さをＨとする。この際、ピクセルＰＩの各々の一部を遮るブラックマトリックスＢＭの斜線の角度（θ）は第１辺４１２ａを基準に逆タンジェント値（Ｈ／Ｐ）である。３個のピクセルＰの第１方向の幅（Ｐ）がＤの場合、第２方向に１つのゲートラインに各ゲートラインの両側に位置する２つのピクセルＰの高さ（Ｈ）は２Ｄ以下とする。したがって、ピクセルＰＩの各々の一部を遮るブラックマトリックスＢＭの斜線の角度（θ）は第１辺４１２ａを基準に逆タンジェント値（Ｈ／Ｐ）であるので、６３．４以下である。例えば、基板４１２が正三角形の場合、ブラックマトリックスＢＭの斜線の角度（θ）は基板４１２の第１辺４１２ａを基準に６０度であるが、これに制限されるものではない。
【００５８】
このように、ブラックマトリックスＢＭを斜線で配置するので、表示領域（Ａ／Ａ）と非表示領域（Ｎ／Ａ）との境界４１４で階段紋が認知できないことがある。
【００５９】
図７ａ及び図７ｂは図４の表示装置が液晶表示装置の場合の他の例で、液晶表示装置に含まれるブラックマトリックスの配置を示す平面図である。
【００６０】
図７ａ及び図７ｂを参照すると、境界４１４に位置するピクセルＰＩで、ブラックマトリックスＢＭの斜線、即ち表示領域（Ａ／Ａ）と非表示領域（Ｎ／Ａ）との境界４１４は、基板４１４の第２辺４１２ｂと第３辺４１２ｃの最外郭に位置する１または２以上のピクセルＰＩの頂点を連結した対角線と並列させることができる。
【００６１】
一例に、図７ａに示すように、ブラックマトリックスＢＭの斜線は基板４１４の第２辺４１２ｂと第３辺４１２ｃの最外郭に位置する１つのピクセルＰＩの頂点を連結した対角線と並列させることができる。例えば、ブラックマトリックスＢＭの斜線は基板４１４の第２辺４１２ｂと第３辺４１２ｃの最外郭に位置する１つのピクセルＰＩの頂点を連結した対角線と一致させることができる。したがって、ブラックマトリックスＢＭは基板４１４の第２辺４１２ｂと第３辺４１２ｃの最外郭に位置する１つのピクセルＰＩの半分を遮ることができる。
【００６２】
他の例に、図７ｂに示すように、ブラックマトリックスＢＭの斜線は基板４１４の第２辺４１２ｂと第３辺４１２ｃの最外郭に位置する２つのピクセルＰＩの頂点を連結した対角線と並列させることができる。例えば、マトリックスＢＭの斜線は基板４１４の第２辺４１２ｂと第３辺４１２ｃの最外郭に位置する２つのピクセルＰＩの頂点を連結した対角線と一致させることができる。したがって、ブラックマトリックスＢＭは基板４１４の第２辺４１２ｂと第３辺４１２ｃの最外郭に位置する２つのピクセルＰＩの半分を遮ることができる。
【００６３】
前述した例において、ブラックマトリックスＢＭの斜線は基板４１４の第２辺４１２ｂと第３辺４１２ｃの最外郭に位置する１つのピクセルまたは２つのピクセルＰＩの頂点を連結した対角線と並んでいるものとして説明したが、基板４１４の第２辺４１２ｂと第３辺４１２ｃの最外郭に位置する３個以上のピクセルＰＩの頂点を連結した対角線と並列させることができる。同様に、基板４１４の第２辺４１２ｂと第３辺４１２ｃの最外郭に位置する３個以上のピクセルＰＩの頂点を連結した対角線と一致させることができる。したがって、ブラックマトリックスＢＭは基板４１４の第２辺４１２ｂと第３辺４１２ｃの最外郭に位置する３個以上のピクセルＰＩの半分を遮ることができる。
【００６４】
図７ａ及び図７ｂに示すように、ブラックマトリックスＢＭの斜線がピクセルＰの頂点を過ぎて、基板４１２が三角形の場合、ピクセルＰの横：縦の割合を特定することができる。言い換えると、ピクセルＰの横：縦の割合は、三角形の形態によって決定できる。例えば、基板４１２が正三角形の場合、基板４１２の第２辺４１２ｂと第３辺４１２ｃの最外郭に位置するピクセルＰの各々の第２方向の長さ（ｂ）：第１方向の長さ（ａ）の割合は１：
2018072793.tif 000004
（ｎは、ブラックマトリックスＢＭの斜線が最外郭に位置するピクセルの頂点を過ぎる最小ピクセルの個数）でありうるが、これに制限されるものではない。
【００６５】
例えば、図７ａに示すように、ブラックマトリックスＢＭの斜線が最外郭に位置するピクセルの頂点を過ぎる最小ピクセルの個数が１つの場合、ｎ＝１であり、図７ａに示すように、ブラックマトリックスＢＭの斜線が最外郭に位置するピクセルの頂点を過ぎる最小ピクセルの個数が２つの場合、ｎ＝２である。
【００６６】
このように、ブラックマトリックスＢＭの斜線の角度を調節するので、表示領域（Ａ／Ａ）と非表示領域（Ｎ／Ａ）との境界４１４で階段紋が認知できないことがある。
【００６７】
図８は、図４に示す表示パネル４１０の表示領域（Ａ／Ａ）に位置し、表示領域（Ａ／Ａ）と非表示領域（Ｎ／Ａ）との境界領域に位置する境界部４１６のピクセルＰをブラー（Blur）処理して表示領域（Ａ／Ａ）と非表示領域（Ｎ／Ａ）との境界４１４に階段紋が認知できないように映像処理したものを図示している。例えば、図９に示すように、境界部４１６のピクセルＰの輝度が相対的に低いことがある。
【００６８】
具体的に、基板４１２の第２辺４１２ｂと第３辺４１２ｃとの境界部４１６に位置するピクセルＰの輝度は、中心部に位置するピクセルＰの輝度より相対的に低いことがある。例えば、基板４１２の第２辺４１２ｂと第３辺４１２ｃとの境界部４１６に位置するピクセルＰの輝度は、最外郭に位置するピクセルＰに行くほど輝度が徐々に、または階段式で減少することができる。例えば、中心部に位置するピクセルＰの輝度が１００％とする時、基板４１２の第２辺４１２ｂと第３辺４１２ｃとの境界部４１６に位置するピクセルＰの輝度は、例えば５０％であるが、これに制限されず、１００％未満であれば、いずれかの値でありうる。
【００６９】
この際、境界部４１６に配置されるピクセルＰの個数や輝度を減少する減少率、最外郭のピクセルの輝度は表示装置４００の多様な状況に合うように選択できる。
【００７０】
図１０及び図１１は、更に他の実施形態に係る表示装置の平面図である。
【００７１】
図１０を参照すると、更に他の実施形態に係る表示装置５００は、表示パネル５１０、駆動部５２０、及び連結部５３０を含むことができる。この際、表示パネル５１０にデータラインＤＬとゲートラインＧＬとが交差する領域に各々配置される複数のピクセルＰの各々の形状が三角形状である。
【００７２】
この際、第２方向に隣接した２つのピクセルは三角形と逆三角形に配置されて全体的に平行四辺形の形状になるように隣接させることができる。したがって、表示領域と非表示領域の境界に階段認知自体が存在しない。
【００７３】
この際、データラインＤＬは第１方向と斜線で配置され、ゲートラインＧＬは第２方向と並んで配置することができる。
【００７４】
複数のピクセルＰの各々の三角形状は基板４１２の三角形状と相似形でありうるが、 これに制限されるものではない。例えば、基板４１２が正三角形であれば、複数のピクセルＰの各々の形状も正三角形である。
【００７５】
図１１に示すように、複数のピクセルＰは第２方向の３個のピクセルＰと隣接した第１方向の１つのピクセルＰが三角形状に反復配置することができる。この際、三角形状に反復配置される４個のピクセルはレッド（Ｒ）、ブルー（Ｂ）、グリーン（Ｇ）、ホワイト（Ｗ）ピクセルでありうる。これを通じてレッド（Ｒ）、ブルー（Ｂ）、グリーン（Ｇ）、ホワイト（Ｗ）ピクセルが１つの色合いを表現することができる。
【００７６】
図１２は、図１０の表示装置が液晶表示装置の場合、液晶表示装置に含まれる各ピクセルＰ１、Ｐ２の配向膜と駆動時の液晶の方向を図示している。
【００７７】
図１２を参照すると、図１０の表示装置が液晶表示装置に第２方向に隣接した２つのピクセルＰ１、Ｐ２が液晶セルの場合、隣接した２つの液晶セルＰ１、Ｐ２は配向膜５１９の方向が互いに異なることがある。これによって、２つの液晶セルＰ１、Ｐ２は駆動時の液晶５１８が互いに異なる方向に回転して互いに異なるドメインで動作することができる。
【００７８】
図１３は、更に他の実施形態に係る表示装置の表示パネルの一部分の平面図である。
【００７９】
図１３を参照すると、更に他の実施形態に係る表示装置６００の表示パネル６１０は、基板６１２の第１辺６１２ａ方向の非表示領域（Ｎ／Ａ）に配置される複数のデータパッドを含むデータパッド部（図示せず）、及びデータパッド部とデータラインＤＬを連結する複数のデータリンクライン５１９ａを含むデータリンクライン部５１９をさらに含むことができる。この際、データリンクライン部５１９に含まれる複数のデータリンクライン５１９ａの長さは互いに同一とすることができる。
【００８０】
データリンクライン部５１９に含まれる複数のデータリンクライン５１９ａのうち、中心部に位置するデータリンクライン５１９ａは一部にジグザグパターンで表示パネル６１０の非表示領域（Ｎ／Ａ）に配置することができる。したがって、データパッド（図示せず）からデータラインＤＬまでのデータリンクライン５１９ａの長さは中心部や外郭部で同一とすることができる。
【００８１】
ところで、三角形状の基板６１２に配置される複数のデータラインＤＬは中心部から外郭部で長さが短くなるので、データラインＤＬとデータリンクライン５１９ａの全体長さは中心部が外郭部より短くなることができる。これによって、中心部に位置するデータラインＤＬのライン抵抗が外郭部に位置するデータラインＤＬのライン抵抗より大きくすることができる。
【００８２】
図１４は、更に他の実施形態に係る表示装置の表示パネルの一部分の平面図である。
【００８３】
図１４を参照すると、更に他の実施形態に係る表示装置の表示パネル７１０は、基板７１２の第１辺７１２ａ方向の非表示領域（Ｎ／Ａ）に配置される複数のデータパッドを含むデータパッド部（図示せず）、及びデータパッド部とデータラインＤＬとを連結する複数のデータリンクライン７１９ａを含むデータリンクライン部７１９をさらに含むことができる。この際、データリンクライン部７１９に含まれる複数のデータリンクライン７１９ａの長さは、基板７１２の第１辺７１２ａの一端Ａから他端Ｂに短くなってから長くすることができる。言い換えると、複数のデータリンクライン７１９ａの長さは中心部より外郭部で長いことがある。
【００８４】
三角形状の基板７１２に配置される複数のデータラインＤＬは中心部から外郭部に長さが順次に長くなるので、データラインＤＬとデータリンクライン５１９ａの全体長さは同一である。これによって、中心部と外郭部に位置するデータラインＤＬのライン抵抗が表示領域（Ａ／Ａ）で同一とすることができる。
【００８５】
前述した実施形態に係る表示装置は、２以上が組み合わせられて多面表示装置を製作することができる。
【００８６】
また、本実施形態に係る多面表示装置は立体的に連続して１つの映像を表示することができる。
【００８７】
以上、図面を参照して実施形態に係る表示装置及び多面表示装置を説明したが、本発明はこれに制限されるものではない。
【００８８】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲によって解釈されなければならず、それと同等な範囲内にある全ての技術思想は本発明の権利範囲に含まれるものと解釈されるべきである。
【符号の説明】
【００８９】
１００、４００、５００、６００    表示装置
１１０、４１０、５１０、６１０、７１０    表示パネル
１２０、４２０、５２０    駆動部
４２２    データ駆動部
４２４    ゲート駆動部
【図１】
2018072793.tif 000005
【図２】
2018072793.tif 000006
【図３ａ】
2018072793.tif 000007
【図３ｂ】
2018072793.tif 000008
【図４】
2018072793.tif 000009
【図５ａ】
2018072793.tif 000010
【図５ｂ】
2018072793.tif 000011
【図６ａ】
2018072793.tif 000012
【図６ｂ】
2018072793.tif 000013
【図６ｃ】
2018072793.tif 000014
【図７ａ】
2018072793.tif 000015
【図７ｂ】
2018072793.tif 000016
【図８】
2018072793.tif 000017
【図９】
2018072793.tif 000018
【図１０】
2018072793.tif 000019
【図１１】
2018072793.tif 000020
【図１２】
2018072793.tif 000021
【図１３】
2018072793.tif 000022
【図１４】
2018072793.tif 000023
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
三角形状の基板上に複数のデータライン及び複数のゲートラインが配置され、複数のピクセル（Pixel）がマトリックスタイプで配置され、前記複数のピクセルが前記三角形状の基板に三角形状に配置される表示パネルと、
複数のデータラインにデータ電圧を供給することによって、複数のデータラインを駆動するデータ駆動部と、
複数のゲートラインにゲート信号を順次に供給することによって、複数のゲートラインを順次に駆動するゲート駆動部とを含み、
前記複数のデータラインは前記三角形状の基板の第１辺から第１方向に配置され、前記基板の第１辺の一端から他端に前記複数のデータラインの長さが各々長くなってから短くなり、
前記複数のゲートラインは前記三角形状の基板の第２辺または第３辺の間に第２方向に配置され、前記基板の第２辺の一端から他端に前記ゲートラインの長さが順次に短くなり、
前記複数のピクセルが前記三角形状の基板に三角形状に配置され、
前記複数のピクセルの各々の形状が三角形状であり、前記第２方向に隣接した２つのピクセルは平行四辺形の形状になるように隣接し、
前記複数のピクセルは前記第２方向の３個のピクセルと隣接した第１方向の１つのピクセルが三角形状に反復配置され、
前記三角形状に反復配置される４個のピクセルは、レッド、ブルー、グリーン、ホワイトピクセルである、表示装置。
【請求項２】
前記ゲート駆動部は複数のゲートインパネル（Gate In Panel）を含み、
前記複数のゲートインパネルは、前記基板の第２辺または第３辺のうちの１つに前記基板の第２辺または第３辺のうちの１つと並んで配置される、請求項１に記載の表示装置。
【請求項３】
前記複数のゲートインパネルの高さがａであり、前記基板が正三角形の場合、前記複数のゲートインパネルの各々は前記基板の第２辺または第３辺の一端から他端にａ／ｂ（ａ、ｂは０より大きい実数）のピッチで前記基板の第２辺または第３辺の内側方向に斜線で配置される、請求項２に記載の表示装置。
【請求項４】
前記複数のピクセルの各々の三角形状は前記基板の三角形状と相似形である、請求項１に記載の表示装置。
【請求項５】
前記第２方向に隣接した２つのピクセルが液晶セルの場合、隣接した２つの液晶セルは配向膜の方向が互いに異なる、請求項１に記載の表示装置。
【請求項６】
前記複数のピクセルのうち、前記基板の第２辺に隣接して最外郭に位置する２以上のピクセルは、前記基板の第２辺の内側方向に斜線で配置され、
前記複数のピクセルのうち、前記基板の第３辺に隣接して最外郭に位置する２以上のピクセルは前記基板の第３辺の内側方向に斜線で配置され、
前記基板の第２辺と前記第３辺の最外郭に位置するピクセルの各々の一部を斜線で遮るブラックマトリックスをさらに含む、請求項１に記載の表示装置。
【請求項７】
前記ブラックマトリックスの斜線の角度は前記基板の第１辺を基準に６３．４度以下である、請求項６に記載の表示装置。
【請求項８】
前記ブラックマトリックスの斜線は前記基板の第２辺と前記第３辺の最外郭に位置する１つまたは２つ以上の四角形状のピクセルの複数の頂点のうちいずれか２つを連結する対角線の方向と並んでいる、請求項６に記載の表示装置。
【請求項９】
前記ブラックマトリックスの斜線は前記基板の第２辺と前記第３辺の最外郭に位置する１つまたは２つ以上の四角形状のピクセルの複数の頂点のうちいずれか２つを通る、請求項８に記載の表示装置。
【請求項１０】
前記基板が正三角形の場合、前記基板の第２辺と前記第３辺の最外郭に位置するピクセルの各々の第２方向の長さ：第１方向の長さの割合は１：√３/ｎ（ｎは、前記ブラックマトリックスの斜線が前記最外郭に位置する四角形状のピクセルの複数の頂点のうちいずれか２つを通る最小ピクセルの個数）である、請求項９に記載の表示装置。
【請求項１１】
前記表示パネルは前記基板の第１辺方向の非表示領域に配置される複数のデータパッドを含むデータパッド部及び前記データパッド部と前記データラインを連結する複数のデータリンクラインを含むデータリンクライン部をさらに含み、
前記データリンクライン部に含まれる前記複数のデータリンクラインの長さは前記基板の第１辺の一端から他端に短くなってから長い、請求項１に記載の表示装置。
【請求項１２】
三角形状の基板上に複数のデータライン及び複数のゲートラインが配置され、複数のピクセル（Pixel）がマトリックスタイプで配置され、前記複数のピクセルが前記三角形状の基板に三角形状に配置される表示パネルと、
複数のデータラインにデータ電圧を供給することによって、複数のデータラインを駆動するデータ駆動部と、
複数のゲートラインにゲート信号を順次に供給することによって、複数のゲートラインを順次に駆動するゲート駆動部とを含み、
前記複数のピクセルのうち、前記基板の第２辺に隣接して最外郭に位置する２以上のピクセルは前記基板の第２辺の内側方向に斜線で配置され、
前記複数のピクセルのうち、前記基板の第３辺に隣接して最外郭に位置する２以上のピクセルは前記基板の第３辺の内側方向に斜線で配置され、
前記基板の第２辺と前記第３辺の外郭に位置するピクセルの輝度は中心部に位置するピクセルの輝度より相対的に低い、表示装置。
【請求項１３】
前記基板の第２辺と前記第３辺の外郭に位置するピクセルの輝度は最外郭に位置するピクセルに行くほど輝度が徐々に減少する、請求項１２に記載の表示装置。
【請求項１４】
２以上の単位表示装置が連結部材を通じて互いに組み立てられた３面以上の多面表示装置であって、
各単位表示装置は、
三角形状の基板上に複数のデータライン及び複数のゲートラインが配置され、複数のピクセル（Pixel）がマトリックスタイプで配置され、前記複数のピクセルが前記三角形状の基板に三角形状に配置される表示パネルと、
複数のデータラインにデータ電圧を供給することによって、複数のデータラインを駆動するデータ駆動部と、
複数のゲートラインにゲート信号を順次に供給することによって、複数のゲートラインを順次に駆動するゲート駆動部とを含み、
前記複数のデータラインは前記三角形状の基板の第１辺から第１方向に配置され、前記基板の第１辺の一端から他端に前記複数のデータラインの長さが各々長くなってから短くなり、
前記複数のゲートラインは前記三角形状の基板の第２辺または第３辺の間に第２方向に配置され、前記基板の第２辺の一端から他端に前記ゲートラインの長さが順次に短くなり、
前記複数のピクセルが前記三角形状の基板に三角形状に配置され、
前記複数のピクセルの各々の形状が三角形状であり、前記第２方向に隣接した２つのピクセルは平行四辺形の形状になるように隣接し、
前記複数のピクセルは前記第２方向の３個のピクセルと隣接した第１方向の１つのピクセルが三角形状に反復配置され、
前記三角形状に反復配置される４個のピクセルは、レッド、ブルー、グリーン、ホワイトピクセルである、多面表示装置。
【請求項１５】
前記多面表示装置は多面体、球形状、または半球状のうちの１つである、請求項１４に記載の多面表示装置。